(57)【特許請求の範囲】
【請求項１】
内容物を充填する口部を有し胴部の下端を底部材で閉じた容器本体と、この容器本体の口部に装着されるポンプと、このポンプの動作を生起させて内容物が取り出されるノズルヘッドと、容器本体の胴部内側に摺動可能に配置され内容物の取り出しに伴い上昇する可動皿とを備える液体噴出容器において、
容器本体の胴部の下端側に、容器本体の内部を透視可能な透視領域を設け、この透視領域に、表示を付す一方、
容器本体の内部に、可動皿と連結部材を介して一体に連結される吊下げ部材を配置し、
この吊下げ部材に側壁を設け、この側壁が、吊下げ部材を前記胴部の下端部に配置させた状態では、透視領域の前記表示を目視したときに当該表示が見え難くなるような下地となり、当該吊下げ部材が可動皿と共に引き上がって、下地としての前記側壁が外れることで、前記表示を視認させることを特徴とする、可動皿を備える液体噴出容器。
【請求項２】
請求項１において、前記側壁は、前記表示を色彩的に見え難くするものであることを特徴とする、可動皿を備える液体噴出容器。
【発明の詳細な説明】
【技術分野】
【０００１】
本発明は、容器本体の内部に配置された可動皿が内容物を押し上げつつ上昇することにより、内容物の効率的な取り出しが可能な液体噴出容器に関するものである。
【背景技術】
【０００２】
内容物の品質維持を目的に、容器本体に遮光性を持たせた場合、容器本体が不透明となることから、目視による内容物の残量確認が不可能となってしまう。
【０００３】
そこで、本願出願人は既に、容器本体の胴部の下端側に、その内部を透視可能な透視領域を設ける一方、可動皿に対して着脱可能であって、残量表示の施されたスライド部材を設け、このスライド部材を可動皿から落下させて透視領域から視認させるものを提案済みである（例えば、特許文献１参照）。
【特許文献１】特開２００８−８７７９４号公報
【発明の開示】
【発明が解決しようとする課題】
【０００４】
しかしながら、残量を表示する手段としては、様々なものがあることは事実があり、市場においても、他の容器と異なる残量表示で他社容器との差別化を図りたいとの要求があることも事実である。
【０００５】
また、かかる構成の場合、スライド部材が落下途中で引っ掛かってしまい、残量表示が視認されなくなるというおそれがあった。
【０００６】
本発明の目的とするところは、従来とは異なる表示手段によって、他の容器との差別化を図ることができ、しかも、内容物の吐出にともなって、残量等の表示が確実に視認される、可動皿を備える、新規な液体噴出容器を提供することにある。
【課題を解決するための手段】
【０００７】
本発明は、内容物を充填する口部を有し胴部の下端を底部材で閉じた容器本体と、この容器本体の口部に装着されるポンプと、このポンプの動作を生起させて内容物が取り出されるノズルヘッドと、容器本体の胴部内側に摺動可能に配置され内容物の取り出しに伴い上昇する可動皿とを備える液体噴出容器において、容器本体の胴部の下端側に、容器本体の内部を透視可能な透視領域を設け、この透視領域に、表示を付す一方、容器本体の内部に、可動皿と連結部材を介して一体に連結される吊下げ部材を配置し、この吊下げ部材に側壁を設け、この側壁が、吊下げ部材を前記胴部の下端部に配置させた状態では、透視領域から前記表示を目視したときに当該表示が見え難くなるような下地となり、当該吊下げ部材が可動皿と共に引き上がって下地としての前記側壁が外れることで、前記表示を視認させることを特徴とするものである。
【０００８】
前記表示としては、例えば、文字、記号、図形、色彩又はこれらを適宜組み合わせたものが挙げられる。また、色彩は、単一の色彩は勿論、複数の色彩を組み合わせた模様の様なものも含む。
【０００９】
また、前記表示を見え難くさせる構成としては、例えば、吊下げ部材の側壁そのものを、前記表示と同一又は同系の色彩（単色及び複数色を含む）で着色することで、又は、側壁の側面に印刷や塗装等で着色することで、側壁の側面を加飾して、前記表示を色彩的に見え難くする構成が挙げられる。
【００１０】
なお、容器本体に不透明な遮光性領域を形成する場合には、例えば、遮光性フィルム、塗装、又は、蒸着等が挙げられ、全体を蒸着した後にレーザー加工等で透視領域を形成することも可能である。尚、不透明な合成樹脂によって容器本体を成形する際に、透視領域に該当する箇所のみ、透明又は半透明な合成樹脂を供給して成形することも可能である。また、連結部材には、糸や紐等が挙げられるが、合成樹脂製のものが好ましい。更に、連結部材は、少なくとも１本であればよい。
【発明の効果】
【００１１】
本発明によれば、吊下げ部材に設けた側壁が容器本体の透過領域に付した表示を目視したときに当該表示が見え難くなるような下地となることから、予め、吊下げ部材を容器本体の胴部下端部に配置させた状態に組み付けておくことにより、内容物の残量が残り少なくなるまでは、前記表示がその機能を発揮することはない。
【００１２】
また、吊下げ部材は、可動皿と連結部材を介して一体に連結されているため、吊下げ部材が可動皿と共に引き上がって、下地としての前記側壁が外れることで、前記表示を視認させることができる。即ち、本発明によれば、確実に前記表示を視認させることができる。
【００１３】
従って、本発明によれば、従来とは異なる表示手段によって、他の容器との差別化を図ることができ、しかも、内容物の吐出にともなって、残量等の表示が確実に視認される、可動皿を備える、新規な液体噴出容器を提供することができる。
【００１４】
なお、前記表示の視認は、少なくとも可動皿が上死点に達した状態でなされていればよい。即ち、本発明に従えば、可動皿と吊下げ部材とを連結する連結部材の長さを調整することで、可動皿が上死点に達するよりも早い段階で前記表示を視認させる構成とすることも可能である。
【発明を実施するための最良の形態】
【００１５】
以下、図面を参照して、本発明の好適な形態を詳細に説明する。
【００１６】
図１は、本発明の第一の形態である液体噴出容器100の未使用状態を一部断面で示す側面図である。また、図２は、同形態にて、残量等の表示が視認可能な状態を一部断面で示す側面図である。
【００１７】
図面において、符号110は、内容物を充填する口部111を有し、肩部112を介して繋がる胴部113の下端を底部材114で閉じたボトル型の容器本体である。
【００１８】
容器本体110の胴部は、胴部113の下端側に形成された透明又は半透明の透視領域（以下、「透視窓」という）1を除き、不透明に形成されている。透視窓1には、図２に示すように、予め印刷により「残量：少」との文字及び記号からなる赤色の表示2が施されている。なお、本形態に係る透視窓1は、ボトル軸線Ｏの周りに沿って延在し、胴部113における周方向の一部として設けられているが、本発明に従えば、ボトル軸線Ｏの周りを全周に亘って設けてもよい。
【００１９】
底部材114は、外気導入孔ｈを有しており胴部113に固定されている。なお、胴部113と底部材114とは、組み付け上、別体であることが好ましい。但し、本発明に従えば、胴部113と底部材114とを一体に設けることを否定するものではない。
【００２０】
また、本形態に係る容器本体110は、遮光性を有する不透明な合成樹脂と、透明な合成樹脂とからなるが、遮光性領域の形成にあたっては、容器本体110を透明又は半透明な合成樹脂で構成すると共に、こうした容器本体110に、塗装や蒸着等を施すことにより、不透明領域を形成することも可能であり、また、容器本体110を透明又は半透明な樹脂で構成し、肩部112や胴部113等に遮光フィルムを巻装してもよい。
【００２１】
符号120は、口部111に装着され、押下げ及び復帰の繰り返しにより内容物の吸引、圧縮及び排出を行うポンプである。
【００２２】
詳細には、ポンプ120は、カバー121を備え、このカバー121は、口部111外側で口部111に着脱可能にねじ止めされる装着筒部121aを有し、この装着筒部121aの内側には、天壁121bを介して口部111の内側を通って胴部113に垂下するシリンダ122が一体的に装着されている。
【００２３】
シリンダ122は、その内側に、複数の構成要素からなるポンプ機構Ｐを収納し、その先端部（下端部）122aには吸引口Ａが形成されている。なお、シリンダ122は、シールリングＳを介して口部111内に取り付けられている。
【００２４】
ポンプ機構Ｐは、シリンダ122内に収納され吸引口Ａの開閉を行うポンププランジャ123と、ポンププランジャ123の上端部に摺動可能に保持されると共にスプリング124を介してシリンダ122に弾支されるピストンガイド125と、このピストンガイド125とシリンダ122との間に摺動可能に保持されるピストン126と、このピストン126の上部でピストンガイド125に固定されるステム127とを有する。
【００２５】
符号130は、ポンプ120のステム127に繋がりその押下げ及び復帰の繰り返しにより当該ポンプ120を動作させて容器本体110の内容物が取り出されるノズルヘッドである。ノズルヘッド130の内部通路には、逆止弁（ボール弁）131が配置されている。
【００２６】
符号140は、容器本体110の胴部113内に配置される可動皿である。可動皿140の外周には、胴部113の内周面113fに摺動可能に保持される環状のシール部141が、ボトル軸線Ｏに沿って間隔を空けて２箇所に設けられている。これにより、可動皿140は、ボトル軸線Ｏに沿って昇降させることができる。
【００２７】
また、ポンプ120は、ノズルヘッド130と共に、シールリングＳを介して容器本体110に装着されている。これにより、可動皿140の上側には、容器本体110と共に、内容物を充填するための充填空間Ｒが形成される。従って、充填空間Ｒは、ノズルヘッド130からの内容物の取り出し量に従って可動皿140が上昇することにより、その容積も減少する。
【００２８】
可動皿140の受圧面側（充填空間Ｒ側）には、先細りのシリンダ122を取り囲むように窪ませてなる平坦な最深部142が形成されている。この最深部142は、可動皿140がボトル軸線Ｏに沿って上昇したとき、図２に示すように、シリンダ122の先端部122aと接触することで、可動皿140の上死点を決定するストッパとして機能する。
【００２９】
また、可動皿140の下部には、この可動皿140から一体に垂下する筒状の周壁143が設けられている。この周壁143は、前記最深部142の周縁部から垂下されている。
【００３０】
一方、底部材114には、図1に示すように、ボトル軸線Ｏを中心とした同心二重配置の内周壁115及び外周壁116とが一体に起立している。
【００３１】
符号3は、可動皿140の下端に連結される吊下げ部材である。吊下げ部材3は、図1に示すように、底部材114の内周壁115及び外周壁116の上端部に載せ置くことができる天壁3Cを有し、この天壁3Cから筒状の側壁3Sがボトル軸線Ｏを取り囲むように一体に垂下する。
【００３２】
側壁3Sは、図1に示すように、吊下げ部材3が底部114の内周壁115及び外周壁116に着座したとき、透視窓1の下地（裏地）になるように垂下する。なお、吊下げ部材3の側壁3Sは、底部材114の内底面114fに接触させてもよい。この場合、吊下げ部材3は、側壁3Sによって底部材114に着座することになる。
【００３３】
また、天壁3Cの上端には、連結部材3Lが一体に設けられている。連結部材3Lの先端部は、可動皿140の周壁143に内部嵌合するコネクタ3Fとして機能する。このため、可動壁140の周壁143にコネクタ3Fを嵌合させると、吊下げ部材3と可動壁140とは一体物として構成される。
【００３４】
即ち可動皿140の上昇に伴って引っ張られた吊下げ部材3は、図２に示すように、底部材114の外周壁116から外れて可動皿140と共に上昇することになる。
【００３５】
なお、本形態では、吊下げ部材3と連結部材3Lとを合成樹脂により一体成形しているが、両者を別部材で構成することも可能である。また、連結部材3Lと可動皿140とを一体成形したり、連結部材3L、可動皿140、および吊下げ部材3を一体成形することも可能である。
【００３６】
さらに、吊下げ部材3の側壁3Sには、底部材114の内周壁115及び外周壁116に着座した状態で、透視窓1の表示2を目視したときに当該表示2が見え難くなるように加飾部4が設けられている。
【００３７】
本形態では、透視窓1に付した表示2を見え難くさせる構成として、吊下げ部材3の加飾部4を、表示2と同一又は同系の色彩（単色及び複数色を含む）で加飾することで、表示2を色彩的に見え難くさせる。
【００３８】
具体的な構成としては、表示2が赤色であるところから、吊下げ部材3の少なくとも側壁3Sを、赤色と同一又は同系の色彩に着色した合成樹脂で構成したり、側壁3Sの少なくとも外側面（胴部113の内周面113fと対向する面）に、印刷や塗装等で、赤色と同一又は同系の色彩（模様を含む）を施す。
【００３９】
これにより、吊下げ部材3が容器本体110の底部材114に着座した状態で透視窓1の表示2を目視すると、加飾部4（吊下げ部材3の側壁3Sの外側面）が下地となることで、表示2が加飾部4の色彩に同化するため、透視窓1の表示2は、図１に示すように見え難くなる。
【００４０】
上述のように、本形態によれば、吊下げ部材3に設けた側壁3S（加飾部4）が容器本体110の透視窓1に付した表示2を目視したときに当該表示2が見え難くなるような下地となることから、吊下げ部材3が底部材114に着座した状態においては、表示2がその機能を発揮することがない。
【００４１】
また、吊下げ部材3は、可動皿140と連結部材3Lを介して一体に連結されているため、吊下げ部材3が可動皿140と共に引き上がって、下地としての側壁3S（加飾部4）が外れることで、表示2を視認させることができる。即ち、本形態によれば、確実に表示2を視認させることができる。
【００４２】
従って、本形態によれば、従来とは異なる表示手段によって、他の容器との差別化を図ることができ、しかも、内容物の吐出にともなって、残量等の表示が確実に視認される、可動皿140を備える、新規な液体噴出容器を提供することができる。
【００４３】
なお、表示2の視認は、少なくとも、可動皿140が上死点に達した状態でなされていればよい。即ち、本発明に従えば、可動皿140と吊下げ部材3とを連結する連結部材3Lの長さを調整することで、可動皿140が上死点に達するよりも早い段階で表示2を視認させる構成とすることも可能である。
【００４４】
なお、本形態では、1本の連結部材3Lを用いることで、可動皿140及び吊下げ部材3を一体に連結しているが、複数の連結部材3Lの各端部を、ボトル軸線Ｏに対して対称になるように、可動皿140及び吊下げ部材3のそれぞれに連結してもよい。
【００４５】
また、本形態の如く、連結部材3Lを合成樹脂製とすれば、吊下げ部材3及び可動皿140の少なくとも一方と共に一体に成形することができる。また、連結部材3Lを合成樹脂製とした場合、紐等を用いた場合に比べて組立工程の簡素化が可能となる。
【００４６】
尚、吊下げ部材3の側壁3Sは、少なくとも透視窓(透視領域)1に施された表示2を被覆する位置に設ければよい為、全周に形成する必要はない。また、前記表示2は、胴部113の内面113f又は外面の何れに設けてもよく、両面に設けても良い。
【図面の簡単な説明】
【００４７】
【図１】本発明の第一の形態である液体噴出容器の未使用状態を一部断面で示す側面図である。
【図２】同形態にて、表示を視認可能な状態を一部断面で示す側面図である。
【符号の説明】
【００４８】
1     透視窓（透視領域）
2     表示
3     吊下げ部材
3F    コネクタ
3L    連結部材
3S    吊下げ部材の側壁（加飾部）
4     加飾部（吊下げ部材の側壁）
100   液体噴出容器
110   容器本体
111   口部
112   肩部
113   胴部
113f  胴部内周面
114   底蓋部（底部材）
115   内周壁
116   外筒壁
120   ポンプ
121   ポンプカバー
121a  装着筒部
121b  装着筒部
122   シリンダ
123   ポンププランジャ
124   スプリング
125   ピストンガイド
126   ピストン
127   ステム
130   ノズルヘッド
131   逆止弁
140   可動皿
141   可動皿の外周に設けた環状シール部
142   可動皿最深部
143   コネクタ連結用周壁
【図１】
0005069176.tif 000002
【図２】
0005069176.tif 000003